(57)【要約】【課題】  計時器などにおいて用いるアクチュエーション要素を備える堅牢性が高く信頼性が高い制御デバイスを提供する。【解決手段】  制御ステム（４）を備える携行可能な物（５４）、特に、計時器、の少なくとも１つの電子的機能を制御するための制御デバイス（１ａ、１ｂ）に関する。制御ステム（４）は、少なくとも第１の安定位置と第２の安定位置の間で、又は少なくとも安定位置と不安定位置の間で、軸方向に動くことができる。制御デバイス（１ａ、１ｂ）は、さらに、制御ステム（６ａ、６ｂ）に堅固に接続された電気的絶縁材料によって作られているアクチュエーション要素（６ａ、６ｂ）と、及び制御ステム（４）が軸方向に動くときにアクチュエーション要素（６ａ、６ｂ）によって機械的にアクチュエートされる少なくとも１つのフレキシブル電気的スイッチング要素（８ａ、８ｂ、８ｃ）とを備える。【選択図】  図１
2021503606.tif 000002
【特許請求の範囲】
【請求項１】
制御ステム（４）を備える携行可能な物（５４）、特に、計時器、の少なくとも１つの電子的機能を制御するための制御デバイス（１ａ、１ｂ）であって、
前記制御ステム（４）は、少なくとも第１の安定位置と第２の安定位置の間で、又は少なくとも安定位置と不安定位置の間で、軸方向に動くことができ、
当該制御デバイス（１ａ、１ｂ）は、さらに、前記制御ステム（６ａ、６ｂ）に堅固に接続された電気的絶縁材料によって作られているアクチュエーション要素（６ａ、６ｂ）と、及び前記制御ステム（４）が軸方向に動くときに前記アクチュエーション要素（６ａ、６ｂ）によって機械的にアクチュエートされる少なくとも１つのフレキシブル電気的スイッチング要素（８ａ、８ｂ、８ｃ）とを備え、
前記少なくとも１つのフレキシブル電気的スイッチング要素（８ａ、８ｂ、８ｃ）は、前記少なくとも１つのフレキシブル電気的スイッチング要素（８ａ、８ｂ、８ｃ）が当該制御デバイス（１ａ、１ｂ）の電気回路を閉じる閉位置と、前記少なくとも１つのフレキシブル電気的スイッチング要素（８ａ、８ｂ、８ｃ）が前記電気回路を開く開位置との間で切り替わることができ、
前記少なくとも１つのフレキシブル電気的スイッチング要素（８ａ、８ｂ、８ｃ）が閉位置にあるときに前記少なくとも１つのフレキシブル電気的スイッチング要素（８ａ、８ｂ、８ｃ）と連係する少なくとも１つの電気的接触スタッド（１６ａ、１６ｂ、１６ｃ、１６ｄ）が設けられ、
前記少なくとも１つのフレキシブル電気的スイッチング要素（８ａ）は、一体化しており、２つの分岐があるＶ字形であり、その各分岐には前記フレキシブル電気的スイッチング要素（８ａ）の電気的接触領域（２４ａ）がある
ことを特徴とする制御デバイス（１ａ、１ｂ）。
【請求項２】
前記アクチュエーション要素（６ａ、６ｂ）には、前記制御ステム（４）が軸方向に動かされる安定位置と不安定位置のインデックス化に貢献するように設けられたカム輪郭がある位置インデックス化領域（１０ａ、１０ｂ）がある
ことを特徴とする請求項１に記載の制御デバイス（１ａ、１ｂ）。
【請求項３】
前記アクチュエーション要素（６ａ、６ｂ）の前記位置インデックス化領域（１０ａ、１０ｂ）に定められる前記カム輪郭と連係して、前記制御ステム（４）の安定位置と不安定位置をそれぞれ定めるように構成しているポジショニングばね（１４）を備える
ことを特徴とする請求項２に記載の制御デバイス（１ａ、１ｂ）。
【請求項４】
前記少なくとも１つの電気的接触スタッド（１６ａ、１６ｂ、１６ｃ、１６ｄ）には、当該制御デバイス（１ａ、１ｂ）の前記電気回路の接触パッドに接続される端部がある
ことを特徴とする請求項１〜３のいずれか一項に記載の制御デバイス（１ａ、１ｂ）。
【請求項５】
前記少なくとも１つのフレキシブル電気的スイッチング要素（８ａ、８ｂ、８ｃ）が前記制御デバイス（１ａ、１ｂ）の前記電気回路に固定されるように接続する機械的固定用スタッド（１８ａ、１８ｂ、１８ｃ）を備える
ことを特徴とする請求項１〜４のいずれか一項に記載の制御デバイス（１ａ、１ｂ）。
【請求項６】
前記カム輪郭には、前記制御ステム（４）の安定位置を定めるように前記制御デバイス（１ａ、１ｂ）の前記ポジショニングばね（１４）と連係するように設けられた少なくとも１つの空欠部（２０ａ、２０ｂ、２０ｃ、２０ｄ）、及び／又は前記制御ステム（４）の不安定位置を定めるように前記ポジショニングばね（１４）と連係するように設けられた傾斜（２２）がある
ことを特徴とする請求項３〜５のいずれか一項に記載の制御デバイス（１ａ、１ｂ）。
【請求項７】
２つの別個のフレキシブル電気的スイッチング要素（８ｂ、８ｃ）を備え、その各フレキシブル電気的スイッチング要素に電気的接触領域（２４ｃ、２４ｄ）がある
ことを特徴とする請求項１〜６のいずれか一項に記載の制御デバイス（１ａ、１ｂ）。
【請求項８】
各フレキシブル電気的スイッチング要素（８ａ、８ｂ、８ｃ）は、前記アクチュエーション要素（６ａ、６ｂ）の機械的接触領域（１２ａ、１２ｂ、１２ｃ）と連係して、そのフレキシブル電気的スイッチング要素（８ａ、８ｂ、８ｃ、８ｄ）が閉位置になるときに対応する電気的接触領域（２４ａ、２４ｂ、２４ｃ、２４ｄ）を対応する電気的接触スタッド（１６ａ、１６ｂ、１６ｃ、１６ｄ）に接触させることができる
ことを特徴とする請求項６又は７に記載の制御デバイス（１ａ、１ｂ）。
【請求項９】
請求項１〜１０のいずれか一項に記載の制御デバイス（１ａ、１ｂ）を少なくとも１つ備える
ことを特徴とする携行可能な物（５４）、特に、計時器。
【発明の詳細な説明】
【技術分野】
【０００１】
本発明は、携行可能な物、特に、計時器、の少なくとも１つの電子的機能を制御するための制御デバイスに関する。本発明は、さらに、このような制御デバイスを備える前記のような計時器に関する。
【背景技術】
【０００２】
自身において実装される少なくとも１つの電子的機能を制御するためのデバイスを備える携行可能な物、例えば、計時器、が長い間知られている。
【０００３】
このような制御デバイスは、一般的には、制御ステムを備え、この制御ステムをアクチュエートすることによって、所望の電子的機能を制御することができる。所望の電子的機能を正しく実行するためには、制御デバイスの制御ステムのアクチュエーションを検出することができることが必要である。制御ステムのアクチュエーションを検出することを可能にする既知の手法のうち、制御ステムの接触領域とこの制御デバイスの電気回路の対応する電気接触領域との間の摩擦による直流電気的接触の確立を介して制御ステムのアクチュエーションを検出するものが広く知られている。
【０００４】
この手法は長い間知られている。この手法の実装は単純でありコストがあまりかからない。しかし、この手法にはいくらかの短所がある。例えば、堅牢性や信頼性が低いことであり、このことによって、耐用年数が著しく短くなる。実際に、制御ステムのアクチュエーションが繰り返されることによって、この制御ステムの接触領域と対応する電気回路の接触領域との間に摩擦が発生する。このような摩擦が繰り返されることによって、時間の経過に伴って制御ステム及び／又は電気回路の摩耗が発生することになり、これら２つの要素の間の直流電気接触の品質が必然的に変わってしまう。特定の時間が経過した後に制御ステムを介して制御信号を導入することとなると、ますますおかしくなり、さらには不可能になり、多くの場合、おかしくなった携行可能な物を手放すしかなくなる。
【０００５】
この課題を解決するために、従来技術において、互いに擦れる制御ステムの接触領域と電気回路の接触領域とを、耐摩耗性の材料、例えば、カドミウムのような金属材料、の層で被覆することが知られている。
【０００６】
しかし、制御ステムと電気回路の対応する接触領域を耐摩耗性の材料の層で被覆するには長く複雑な操作が必要となり、このことによって、このような制御デバイスの製造コストを増加させ、そして結果的に、このような携行可能なデバイスが搭載される計時器のような携行可能なデバイスの製造コストを増加させてしまう。このことは、このような制御デバイスを備える携行可能な物が安価な携行可能な物であることが多くこのような携行可能な物の場合には様々な構成要素の製造コストが重要な要素であることを考えると、経済的観点から受け入れがたい。
【０００７】
また、耐摩耗性が良好な材料が人間にとって安全でない物質であることはよくあり、そのため、ユーザーの皮膚に接触して着用することを意図されておりユーザーが開けることがある小さな携行可能な物にこのような安全でない物質を用いることができないことが多い。
【発明の概要】
【発明が解決しようとする課題】
【０００８】
本発明は、アクチュエーション要素を備える堅牢性が高く信頼性が高い制御デバイスであって、このアクチュエーション要素が、デバイスの制御ステムによって担持され、導電性スイッチング要素と摩擦を介して連係させることができ、これによって、このスイッチング要素に電気回路の接触パッドとの直流電気接触を確立して、この電気回路を確実に閉じるような制御デバイスを提供することによって、上述の課題及び他の課題を解決することを目的とする。
【０００９】
このために、本発明の対象は、制御ステムを備える携行可能な物、特に、計時器、の少なくとも１つの電子的機能を制御するための制御デバイスである。前記制御ステムは、少なくとも第１の安定位置と第２の安定位置の間で、又は少なくとも第１の安定位置と第２の不安定位置の間で、軸方向に動くことができ、当該制御デバイスは、さらに、前記制御ステムに堅固に接続されたアクチュエーション要素と、及び前記制御ステムが軸方向に動くときに前記アクチュエーション要素によって機械的にアクチュエートされる少なくとも１つのフレキシブル電気的スイッチング要素とを備える。前記少なくとも１つのフレキシブル電気的スイッチング要素は、前記少なくとも１つのフレキシブル電気的スイッチング要素が当該制御デバイスの電気回路を閉じる閉位置と、前記少なくとも１つのフレキシブル電気的スイッチング要素が前記電気回路を開く開位置との間で切り替わることができる。
【００１０】
他の実施形態においては、以下の特徴を有する。
−  前記アクチュエーション要素には、前記制御ステムが軸方向に動かされる安定位置と不安定位置のインデックス化に貢献するように設けられたカム輪郭がある位置インデックス化領域がある。
−  当該制御デバイスは、前記アクチュエーション要素の前記位置インデックス化領域に定められる前記カム輪郭と連係して、前記制御ステムの安定位置と不安定位置をそれぞれ定めるように構成しているポジショニングばねを備える。
−  当該制御デバイスに、前記少なくとも１つのフレキシブル電気的スイッチング要素が閉位置にあるときに前記少なくとも１つのフレキシブル電気的スイッチング要素と連係する少なくとも１つの電気的接触スタッドが設けられる。
−  前記少なくとも１つの電気的接触スタッドには、当該制御デバイスの前記電気回路の接触パッドに接続される端部がある。
−  当該制御デバイスは、前記少なくとも１つのフレキシブル電気的スイッチング要素が前記制御デバイスの前記電気回路に固定されるように接続する機械的固定用スタッドを備える。
−  前記カム輪郭には、前記制御ステムの安定位置を定めるように前記制御デバイスの前記ポジショニングばねと連係するように設けられた少なくとも１つの空欠部、及び／又は前記制御ステムの不安定位置を定めるように前記ポジショニングばねと連係するように設けられた傾斜がある。
−  前記少なくとも１つのフレキシブル電気的スイッチング要素は、一体化しており、２つの分岐があるＶ字形であり、その各分岐には前記フレキシブル電気的スイッチング要素の電気的接触領域がある。
−  当該制御デバイスは、２つの別個のフレキシブル電気的スイッチング要素を備え、その各フレキシブル電気的スイッチング要素に電気的接触領域がある。
−  各フレキシブル電気的スイッチング要素は、前記アクチュエーション要素の機械的接触領域と連係して、そのフレキシブル電気的スイッチング要素が閉位置になるときに対応する電気的接触領域を対応する電気的接触スタッドに接触させることができる。
【００１１】
本発明は、さらに、このような制御デバイスを少なくとも１つ備える携行可能な物、特に、計時器、に関する。
【００１２】
図面を参照しながら説明する複数の実施形態についての詳細な説明から本発明の他の特徴及び利点が明確になる。これらの実施形態は、純粋に説明のために与えられるものであって、これらに限定されるものではない。
【図面の簡単な説明】
【００１３】
【図１】第１の実施形態に係る携行可能な物の少なくとも１つの電子的機能を制御するための制御デバイスの斜視図である。
【図２】携行可能な物の少なくとも１つの電子的機能を制御するための制御デバイスの第２の実施形態を上から見た部分透明図である。
【図３】図２に示している制御デバイスの部分透明斜視図である。
【図４】第１及び第２の実施形態に係る制御デバイスのポジショニングばねの斜視図である。
【図５】第１実施形態及び第２実施形態に係る制御デバイスを備える、ここでは計時器である携行可能な物の概略図である。
【発明を実施するための形態】
【００１４】
本発明は、概して、電気的スイッチング要素が機械的にアクチュエートする領域が、電気的スイッチング要素が電子的機能のアクティブ化のために電気的接触する領域とは異なるような、小さな寸法の携行可能な物、例えば、腕時計、の少なくとも１つの電子的機能を制御するデバイスを提供することを伴う創造性のある概念に基づいている。このような特徴の結果として、このような電気接触領域は、機械的接触領域に発生する摩擦に伴う摩耗についてのいずれのリスクからも保護される。
【００１５】
図１に、全体的に参照符号１ａによって示している本発明に係る制御デバイスの第１の実施形態を示している。この制御デバイス１ａは、計時器（これに限定されない）のような携行可能な物５４の少なくとも１つの電子的機能を制御するように構成しており、制御ステム４のクレードルとして機能する下側フレーム２を備える。この制御ステム４は、後ろ側から先頭側に、そして、先頭側から後ろ側に、軸方向に動くことができ、これによって、堅牢性と信頼性が高い方法で携行可能な物５４の少なくとも１つの電子的機能を制御する。
【００１６】
以下の説明では、「後ろ側から先頭側の方向」とは、携行可能な物５４の外側に位置するアクチュエーションリュウズ５０から制御デバイス１ａ、１ｂが収容されているこの携行可能な物５４の内側の方へと延びるまっすぐな方向のことをいう。この方向は、携行可能な物５４のミドル部５６に垂直に、制御ステム４の長手方向の対称軸Ｘ−Ｘに沿って水平方向に延びている。したがって、制御ステム４を先頭側から後ろ側に引いたり、後ろ側から先頭側に押したりする。また、鉛直方向ｚは、携行可能な物５４の底部５８に対して垂直に延びている方向である。
【００１７】
携行可能な物５４の少なくとも１つの電子的機能の制御を可能にするために、制御デバイス１ａは、まず、アクチュエーション要素６ａを備え、このアクチュエーション要素６ａは、制御ステム４と一体化されたり制御ステム４に固定されたりするように選択することができる。このアクチュエーション要素６ａには少なくとも１つの機械的接触領域１２ａ、１２ｂがあり、これによって、このアクチュエーション要素６ａは導電性電気的スイッチング要素８ａと接触する。このアクチュエーション要素６ａは、電気的スイッチング要素８ａをアクチュエートし、この電気的スイッチング要素８ａがこの電気的スイッチング要素８ａの電気的接触領域と電気回路の接触スタッドの間の直流電気的接触を確立することを可能にし、これによって、この電気回路を閉じることを確実にするように構成している。したがって、本発明に係る制御デバイス１ａにおいて、アクチュエーション要素６ａと電気的スイッチング要素８ａの間の機械的接触領域１２ａ、１２ｂと、電気的スイッチング要素８ａと電気回路の接触スタッドの間の直流電気的接触領域とは、２つの異なる領域であり、これによって、アクチュエーション要素６ａと電気的スイッチング要素８ａの間の摩擦が繰り返されても、電気的接触領域と電気回路の接触スタッドの間の電気的接触の品質に何ら影響を及ぼさないようにする。
【００１８】
上述したように、図１に示している制御デバイス１ａは、計時器、特に、腕時計のような、小さな寸法の物である携行可能な物５４の少なくとも１つの電子的機能の制御を可能にするように意図されている。この制御デバイス１ａの下側フレーム２は、例えば、射出成型プラスチックのような電気的絶縁材料によって作られ、制御ステム４のためのクレードルとして機能し、この制御ステム４は、好ましくは、細長く実質的に円筒状であり、長手方向の対称軸Ｘ−Ｘを有する。なお、これに限定されない。この制御ステム４は、長手方向の対称軸Ｘ−Ｘに沿って前後に摺動すること、及び／又は時計方向及び反時計方向にこの同じ長手方向の対称軸Ｘ−Ｘを中心に回転することを行うように構成している。
【００１９】
具体的には、制御ステム４には後ろ側の端４６があり、この後ろ側の端４６は、制御デバイス１ａが携行可能な物５４に取り付けられた後には携行可能な物５４の外側に位置し、アクチュエーションリュウズ５０を受ける。また、この制御ステム４には先頭側の端４８があり、この先頭側の端４８は、制御デバイス１ａが携行可能な物５４内に収容された後には携行可能な物５４の内側に位置する。また、制御ステム４は滑らかなベアリング４０を備え、このベアリング４０は、下側フレーム２の対応する受け面と連係して、この制御ステム４の支持と軸方向のガイドを確実にする。なお、携行可能な物５４内に制御ステム４を通して制御デバイス１ａを設置することを可能にするために、携行可能な物５４のミドル部に穴５２が形成される。
【００２０】
この制御デバイス１ａにおいて、下側フレーム２は、制御デバイス１ａの制御ステム４を受けるように設けられたクレードルを形成する。制御デバイス１ａにおいて、制御ステム４は、好ましくは、細長く実質的に円筒状であり、その長手方向の対称軸Ｘ−Ｘに沿って延在している。制御ステム４の先頭側の端４８は、例えば、滑らかなベアリング４０を受けることができる正方形の断面１２を有する。
【００２１】
制御ステム４と一体的であることができ又はこの制御ステム４に堅固に取り付けることができるアクチュエーション要素６ａは、制御ステム４が下側フレーム２に対して軸方向に動いたり又は回転したりしたときに下側フレーム２に対して並進運動又は回転運動をして動くことができる。アクチュエーション要素６ａは、制御ステム４上に付加される部品である場合、電気的絶縁材料、すなわち、アクチュエーション要素６ａが導電性電気部品と接触するように配置されたときにアクチュエーション要素６ａが取り付けられる制御ステム４に電流が流入することを防ぐことを可能にする材料、によって作られていることが好ましい。例えば、このアクチュエーション要素６ａはプラスチックで作ることができる。
【００２２】
アクチュエーション要素６ａは、制御デバイス１ａ内の下側フレーム２の内側に位置しており、好ましい例（これに限定されない）において、横断方向の断面が円形であるリングの形態である。このアクチュエーション要素６ａには、周部壁、前面及び後面がある。周部壁には、カム輪郭がある位置インデックス化領域１０ａがあり、このカム輪郭には、例えば、突き出ているクレスト３８ａによって互いに分離される２つの空欠部２０ａ及び２０ｂがあり、この空欠部２０ａの次に、傾斜した輪郭２２が続いており、この傾斜した輪郭２２は、例えば、制御ステム４の後ろ側の端４６の方に向かって広がっている切断された円錐形である。２つの空欠部２０ａ及び２０ｂは、例えば、制御ステム４の長手方向の対称軸Ｘ−Ｘを中心とする環状溝である。なお、このカム輪郭には、制御デバイス１ａにおいて制御ステム４をインデックス化することができる安定位置の数と同数の空欠部がある。同様に、カム輪郭には、制御ステム４を動かすことができる不安定位置の数と同数の傾斜がある。
【００２３】
アクチュエーション要素６ａの位置インデックス化領域１０ａの一又は複数の空欠部２０ａ、２０ｂ及び／又は傾斜２２によって形成されるカム輪郭によって、ポジショニングばね１４のロッド２８の端部３４との連係を介して、ユーザーが制御ステム４を軸方向に後ろ側から先頭側に、そして、先頭側から後ろ側に動かしたときに制御ステム４が動くことができる安定位置及び／又は不安定位置を定めることが可能になる。
【００２４】
具体的には、ポジショニングばね１４は、概して、水平面内に延在する２つのアーム３０を有するＵ字の形であり、これらの２つのアーム３０はベース３２によって互いに接続されている。２つのアーム３０の自由端側から、２つの実質的にまっすぐな直立ロッド２８が続いている。ポジショニングばね１４は、下側フレーム２の底部を介して制御デバイス１ａに取り付けられるように意図されており、これによって、ロッド２８の端部３４がアクチュエーション要素６ａの位置インデックス化領域１０ａのカム輪郭において突き出る。
【００２５】
アクチュエーション要素６ａの前面及び／又は後面は、機械的接触領域１２ａ及び１２ｂを定め、この機械的接触領域１２ａ及び１２ｂによって、アクチュエーション要素６ａは、制御デバイス１ａの電気的スイッチング要素８ａと連係することができる。具体的には、この電気的スイッチング要素８ａは、制御デバイス１ａの電気回路のスイッチタイプの構成要素である。この電気的スイッチング要素８ａは、実際に、制御ステム４をその安定位置又は不安定位置にするように後ろ側から先頭側又は先頭側から後ろ側に軸方向に動かすときに、アクチュエーション要素６ａによって機械的に制御されることができる。この電気的スイッチング要素８ａは、アクチュエーション要素６ａによって機械的に制御されるときに、弾性変形し、制御デバイス１ａの電気回路の開位置から閉位置へと交互に移る。このために、この電気的スイッチング要素８ａには、以下の連結部３６ａ、電気的接触領域２４ａ、２４ｂ、及び機械的接触領域２６ａ、２６ｂがある。
−連結部３６ａは、制御デバイス１ａの固定用スタッド１８ａを介して電気的スイッチング要素８ａを電気回路に、好ましくは固定されるようにかつ／又は堅固に、接続する。
−電気的接触領域２４ａ、２４ｂは、少なくとも１つあり、図示している例では２つあり、電気的スイッチング要素８ａの外面に形成され、この電気的スイッチング要素８ａが電気回路を閉じる位置に動いたときに電気回路の第１及び第２の接触スタッド１６ａ、１６ｂに接触するように設けられている。
−機械的接触領域２６ａ、２６ｂは、少なくとも１つあり、図示している例では２つあり、電気的スイッチング要素８ａの内面に形成され、アクチュエーション要素６ａ、６ｂの前面及び／又は後面によって形成される機械的接触領域１２ａ、１２ｂと連係するように設けられている。
【００２６】
なお、電気的スイッチング要素８ａは、例えば、図１に示しているようにＶ字形の金属製のばね細長材である。
【００２７】
なお、固定用スタッド１８ａ、第１及び第２の接触スタッド１６ａ、１６ｂが３つとも、導電体であり、制御デバイス１ａの下側フレーム２の内側に配置されており、それぞれには制御デバイス１ａが配置されたプリント回路、例えば、フレキシブルプリント回路のシート（図示せず）、の表面に設けられた接触パッドに接続された端部があることをわかる。好ましくは、固定用スタッド１８ａと２つの接触スタッド１６ａ、１６ｂを互いに接続することを可能にする電気回路がフレキシブルプリント回路のシート上に構築される。また、固定用スタッド１８ａと接触スタッド１６ａ、１６ｂは、渦巻き状の接触ばね、ばね細長材などであることができる。また、この電気的回路は、さらに、所望の電子的機能を行うためにマイクロコントローラー６４や電気的コネクター６６のような必要なすべての電子部品を備え、これは、例えば、ＺＥＢＲＡ（登録商標）タイプのものである。
【００２８】
制御デバイス１ａは、下側フレーム２をカバーするように設けられた上側フレーム６０を備える。これら２つの下側フレーム２と上側フレーム６０はそれぞれ、例えば、概して平行六面体の形であり、これらの下側フレーム２と上側フレーム６０が合わさって、制御デバイス１ａの外側形状を定める。これらの２つのフレーム２、６０には、本制御デバイス１ａの構成要素を受けるように構成しているハウジングと表面がある。
【００２９】
上述している図１に示している第１の実施形態において、制御デバイス１ａには単一の電気的スイッチング要素８ａが設けられている。この電気的スイッチング要素８ａは、一体化されており、実質的にＶ字の形であって、第１のアーム４４ａと第２のアーム４４ｂが連結部３６ａによって互いに接続されている。この電気的スイッチング要素８ａには連結部３６ａがあり、この連結部３６ａにて、前記アーム４４ａ、４４ｂが互いに接続され、この連結部３６ａは、接着、溶接又は相互ロックなどによって電気的スイッチング要素８ａを固定用スタッド１８ａに確実に固定することを可能にする。Ｖ字のアーム４４ａ、４４ｂの外面４２ａは、電気的スイッチング要素８ａの第１及び第２の電気的接触領域２４ａ、２４ｂを形成し、Ｖ字のアーム４４ａ、４４ｂの自由端の内面４２ｂは、アクチュエーション要素６ａの機械的接触領域１２ａ、１２ｂと連係するように設けられた機械的接触領域２６ａ、２６ｂを形成する。電気的スイッチング要素８ａのＶ字のアーム４４ａ、４４ｂは、電気的スイッチング要素８ａが作られているばね材料の弾性戻り力に対抗するようにアクチュエーション要素６ａによって互いに離れるように維持されることがわかる。この結果、制御ステム４が、例えば、先頭側から後ろ側に引かれると、第１の電気的接触領域２４ａと第１の接触スタッド１６ａの間の電気的接触が失われ、第２の電気的接触領域２４ｂと第２の接触スタッド１６ｂの間の電気的接触が確立される。したがって、第１の接触スタッド１６ａと固定用スタッド１８ａの間の第１の電気回路が開となり、固定用スタッド１８ａと第２の接触スタッド１６ｂの間の第２の電気回路が閉となる。制御ステム４が後ろ側から先頭側に押されたときにはこの逆となる。
【００３０】
これを読み取ると、アクチュエーション要素６ａの位置インデックス化領域１０ａとポジショニングばね１４のステム２８の間の連係が第１の安定位置Ｔ１における制御ステム４の位置をインデックス化することを可能にし、この第１の安定位置Ｔ１からこの制御ステム４を先頭側に押して不安定位置Ｔ０にしたり、後ろ側に引いて第２の安定位置Ｔ２にしたりすることができ、これらの不安定位置Ｔ０、安定位置Ｔ１及びＴ２の３つの位置はそれぞれ、別個の電気的制御信号の導入に対応することがわかる。
【００３１】
具体的には、図１において、制御ステム４は、安定位置Ｔ１にあり、この安定位置Ｔ１から、制御ステム４を先頭側に押して不安定位置Ｔ０にしたり、後ろ側に引いて安定位置Ｔ２にしたりすることができることがわかる。したがって、制御ステム４の第１の安定位置Ｔ１は、ポジショニングばね１４のロッド２８の端部３４がアクチュエーション要素６ａに形成される位置インデックス化領域１０ａの第１の空欠部２０ａ内に入り込む位置に対応している。この第１の安定位置Ｔ１では、電気的スイッチング要素８ａはその安静位置にあり、この安静位置においては、その機械的接触領域２６ａ、２６ｂがともにアクチュエーション要素６ａと接触し互いに離れるように維持され、第１及び第２の電気的接触領域２４ａ及び２４ｂは、第１及び第２の接触スタッド１６ａ及び１６ｂと接触していない。
【００３２】
この第1の安定位置Ｔ１から制御ステム４を先頭側に押して不安定位置Ｔ０にすることができる。この運動の際に、ポジショニングばね１４のロッド２８の端部３４は、第１の空欠部２０ａから出て、傾斜した輪郭２２に追従する。このとき、この輪郭２２は、制御ステム４の長手方向の対称軸Ｘ−Ｘから徐々に離れる。ポジショニングばね１４のロッド２８の端部３４を第１の空欠部２０ａから出させて端部３４どうしを互いに離れさせながら傾斜した輪郭２２上に動かすために、ユーザーは意味がある抵抗応力を克服しなければならない。この抵抗応力は、傾斜した輪郭２２に追従することによって、ポジショニングばね１４のロッド２８が、それらの安静位置から互いに離れるように動き、ユーザーが制御ステム４に与える押す力に対抗する弾性戻り力の影響の下で互いに再び近づくことを望む傾向があることに起因している。ユーザーは、制御ステム４を安定位置Ｔ１から不安定位置Ｔ０の方に動かすとき、電気的スイッチング要素８ａによって対抗される抵抗応力を克服しなければならず、アクチュエーション要素６ａの第１の機械的接触領域１２ａに支えられる電気的スイッチング要素８ａの第１のアーム４４ａの自由端は、ユーザーが制御ステム４を押すと、その安静位置からわずかに離れるように動き、弾性戻り力の影響の下でこの安静位置を再び占める傾向がある。制御ステム４のこの不安定位置Ｔ０において、電気的スイッチング要素８ａの第１の電気的接触領域２４ａは、第１の接触スタッド１６ａと接触しており、したがって、この第１の接触スタッド１６ａと固定用スタッド１８ａの間の電気回路を閉じる。したがって、第１の接触スタッド１６ａから固定用スタッド１８ａへと電流が電気的スイッチング要素８ａを流れ、このことによって、対応する電気回路を閉にする位置を検出することができる。
【００３３】
制御ステム４に対する圧力をユーザーが解放するとすぐに、ポジショニングばね１４のロッド２８は、傾斜した輪郭２２に沿って自発的に戻り、ロッド２８の端部３４は再びアクチュエーション要素６ａの位置インデックス化領域１０ａの第１の空欠部２０ａ内に収容され、制御ステム４をその安定位置Ｔ１に戻らせる。また、電気的スイッチング要素８ａの第１のアーム４４ａはその安静位置に戻り、したがって、制御ステム４が戻って安定位置Ｔ１になる運動に貢献する。したがって、制御ステム４は、その不安定位置Ｔ０からその第1の安定位置Ｔ１へと自動的に戻る。
【００３４】
制御ステム４を安定位置Ｔ１から後ろ側に引いて第２の安定位置Ｔ２にすることができる。この運動の際に、ポジショニングばね１４のロッド２８の端部３４は、第１の空欠部２０ａから第２の空欠部２０ｂへとこれらを分離するクレスト３８ａの上を通ることによって弾性変形しながら動く。同時に、第２のアーム４４ｂの自由端がアクチュエーション要素６ａの第２の機械的接触領域１２ｂに支持されている電気的スイッチング要素８ａは、ユーザーが制御ステム４を引いたときにその安静位置からわずかに離れるように動き、その弾性戻り力の影響の下でこの安静位置に再び戻ろうとする傾向がある。制御ステム４のこの安定位置Ｔ２において、電気的スイッチング要素８ａの第２の電気的接触領域２４ｂは、第２の接触スタッド１６ｂと接触しており、したがって、固定用スタッド１８ａとこの第２の接触スタッド１６ｂの間の電気回路を閉じる。したがって、固定用スタッド１８ａから第２の接触スタッド１６ｂへと電気的スイッチング要素８ａを電流が流れ、このことによって、対応する電気回路を閉じる位置を検出することができる。
【００３５】
図２及び図３に、全体的に参照符号１ｂによって示している本発明に係る制御デバイスの第２の実施形態を示している。この制御デバイス１ｂは、別個の第１及び第２の電気的スイッチング要素８ｂ及び８ｃを備える。これらの第１及び第２の電気的スイッチング要素８ｂ及び８ｃそれぞれの第１の端部には、その外面４２ａに、第１の連結部３６ｂと第２の連結部３６ｃがあり、これによって、特に接着、溶接又は相互ロックによる、制御デバイス１ｂの対応する第１及び第２の固定用スタッド１８ｂ、１８ｃへのこれら２つの電気的スイッチング要素８ｂ、８ｃの固定を確実にすることが可能になる。電気的スイッチング要素８ｂ、８ｃの第２の端部には、電気的スイッチング要素８ｂ、８ｃの外面４２ａ内に配置される第１及び第２の電気的接触領域２４ｃ、２４ｄがある。
【００３６】
また、これらの第１及び第２の電気的スイッチング要素８ｂ、８ｃには、第１の端部と第２の端部の間の内面４２ｂ内に、第１及び第２の機械的接触領域２６ｃ、２６ｄをそれぞれ形成する、例えば、Ｖ字の形の折れ曲がりである、変形した部分がある。したがって、本発明に係る制御デバイス１ｂにおいては、アクチュエーション要素６ｂと電気的スイッチング要素８ｂ及び８ｃの間の機械的接触領域２６ｃ、２６ｄと、電気的スイッチング要素８ｃ及び８ｄと接触スタッド１６ｃ及び１６ｄの間の電気的接触領域２４ｃ、２４ｄは、互いに別のものである領域であり、これによって、アクチュエーション要素６ｂと電気的スイッチング要素８ｂ及び８ｃの間の摩擦が繰り返されても、電気的スイッチング要素８ｂ、８ｃと接触スタッド１６ｃ、１６ｄの間の直流電気的接触の品質に影響を及ぼさないようにする。また、第１及び第２の電気的スイッチング要素８ｂ及び８ｃの機械的接触領域２６ｃ及び２６ｄは、互いに対向しておらず、これによって、アクチュエーション要素６ｂがこれらの電気的スイッチング要素８ｂ、８ｃのうちの一方をアクティブ化するときに、このことが必ずしも他方の電気的スイッチング要素のアクティブ化をもたらさないことが観察される。
【００３７】
制御デバイス１ｂにおいて、アクチュエーション要素６ｂの位置インデックス化領域１０ｂには、クレスト３８ｂによって分離される第１及び第２の空欠部２０ｃ及び２０ｄがある。空欠部２０ｃは、制御ステム４の後ろ側の端の方へと広がる傾斜した輪郭６２に続いている。
【００３８】
また、この制御デバイス１ｂにおいて、制御ステム４の軸方向の運動のときに第１及び第２のフレキシブル電気的スイッチング要素８ｂ、８ｃの機械的接触領域２６ｃ、２６ｄと連係しなければならないアクチュエーション要素６ｂの機械的接触領域１２ｃは、アクチュエーション要素６ｂの周部壁の一部だけでなく前面と後面にも配置されている。なお、アクチュエーション要素６ｂの機械的接触領域１２ｃと機械的接触領域２６ｃ、２６ｂの間の連係は、固定用スタッド１８ｂ、１８ｃによって形成される固定点のまわりの第１及び第２のフレキシブル電気的スイッチング要素８ｂ、８ｃの実質的に回転する運動、特に、これらのフレキシブル電気的スイッチング要素８ｂ、８ｃに形成される電気的接触領域２４ｃ、２４ｄの変位を発生させる。
【００３９】
制御デバイス１ｂには、２つの電気回路がある。これらの電気回路のうちの第１の電気回路は、特に、接触スタッド１６ｃと固定用スタッド１８ｂと、第１の電気的スイッチング要素８ｂによって構成している。第２の電気回路は、特に、接触スタッド１６ｄ、固定用スタッド１８ｃ及び電気的スイッチング要素８ｃによって構成している。
【００４０】
下において、アクチュエーション要素６ｂの位置インデックス化領域１０ｂとポジショニングばね１４の間の連係によって、安定位置Ｔ１及びＴ２と不安定位置Ｔ０の間で制御ステム４の位置をインデックス化することができることを示している。
【００４１】
図２及び図３に示している制御デバイス１ｂの第２の実施形態において、制御ステム４を後ろ側に引いて第１の安定位置Ｔ１から第２の安定位置Ｔ２にしたり、先頭側に押して第３の位置である不安定位置Ｔ０にしたりすることができる。制御ステム４のこれらの３つの位置Ｔ０、Ｔ１及びＴ２は、位置インデックス化領域１０ｂとポジショニングばね１４の間の連係によってインデックス化されている。具体的には、安定位置Ｔ１は、ポジショニングばね１４のロッド２８の端部３４がアクチュエーション要素６ｂにて形成された位置インデックス化領域１０ｂの第１の空欠部２０ｃ内に入り込む位置に対応する。この位置では、ポジショニングばね１４のロッド２８、そして、第１のフレキシブル電気的スイッチング要素８ｂは、それらの安静位置、すなわち、それらが拘束力を受けていない位置、にある。この安定位置Ｔ１において、制御デバイス１ｂの第１のフレキシブル電気的スイッチング要素８ｂは、第１の電気回路が開となる位置を占める。第１の電気回路が開となっているこの位置では、この第１のフレキシブル電気的スイッチング要素８ｂの自由端の外面４２ａ上に形成される電気的接触領域２４ｃは、制御デバイス１ｂの対応する第３の接触スタッド１６ｃと接触していない。しかし、制御ステム４が安定位置Ｔ１にあるときには、制御デバイス１ｂの第２のフレキシブル電気的スイッチング要素８ｃは、第２の電気回路が閉となる位置を占める。第２の電気回路が閉となるこの位置では、この第２のフレキシブル電気的スイッチング要素８ｃの自由端の外面４２ａに形成される電気的接触領域２４ｄは、制御デバイス１ｂの対応する第４の接触スタッド１６ｄと接触している。したがって、第２のフレキシブル電気的スイッチング要素８ｃを電流が流れ、このことによって、この第２のフレキシブル電気的スイッチング要素８ｃと第２の接触スタッド１６ｄの間の電気的接触の閉位置を検出することができる。
【００４２】
制御ステム４を第１の安定位置Ｔ１から後ろ側に引いて第２の安定位置Ｔ２にすることができる。この運動の際に、ポジショニングばね１４のロッド２８の端部３４は、第１の空欠部２０ｃから第２の空欠部２０ｄへと、それらを分離するクレスト３８ｂを通過して、弾性変形しながら動く。同様に、この運動の際に、第２のフレキシブル電気的スイッチング要素８ｃに支えられるアクチュエーション要素６ｂの機械的接触領域１２ｃは、この第２のフレキシブル電気的スイッチング要素８ｃがアクチュエーション要素６ｂと接触しなくなる位置まで、このフレキシブル電気的スイッチング要素８ｃをこすりながら動き、弾性戻り力の影響の下でその安静位置に戻る。制御ステム４のこの安定位置Ｔ２において、制御デバイス１ｂの第２のフレキシブル電気的スイッチング要素８ｃは、第２の電気回路が開となる位置を占める。この第２の電気回路が開となる位置では、この第２のフレキシブル電気的スイッチング要素８ｃの自由端の外面４２ａに形成された電気的接触領域２４ｄは、制御デバイス１ｂの対応する第４の接触スタッド１６ｄと接触していない。また、制御ステム４が第２の安定位置Ｔ２にあるときには、第１のフレキシブル電気的スイッチング要素８ｂの位置は変わらないままである。この第２の安定位置Ｔ２において、制御デバイス１ｂの第１のフレキシブル電気的スイッチング要素８ｂは、第１の電気回路が開でありこの第１のフレキシブル電気的スイッチング要素８ｂの自由端の外面４２ａに形成される電気的接触領域２４ｃが制御デバイス１ｂの対応する第３の接触スタッド１６ｃと接触していない位置を依然として占める。
【００４３】
制御ステム４を第１の安定位置Ｔ１から先頭側に押して第３の位置である不安定位置Ｔ０にすることができる。この運動の際に、ポジショニングばね１４のロッド２８の端部３４は、第１の空欠部２０ｃから出て、制御ステム４の長手方向の対称軸Ｘ−Ｘから徐々に離れる切頭円錐タイプなどの傾斜した輪郭６２に追従する。ポジショニングばね１４のロッド２８の端部３４を第１の空欠部２０ｃから出して互いに離れるように動かしながらこの傾斜した輪郭６２上に動かすために、ユーザーは、意味のある抵抗応力を克服しなければならない。この抵抗応力は、傾斜した輪郭６２に追従することによってポジショニングばね１４のロッド２８がそれらの安静位置から互いに離れるように動き、ユーザーが制御ステム４に与える押す力に対抗する弾性戻り力の影響の下で互いに再び近づこうとする傾向があるということに起因している。ユーザーが制御ステム４に対する圧力を解放するとすぐに、ポジショニングばね１４のロッド２８は、傾斜した輪郭６２に沿って自発的に後ろ側に戻り、それらの端部３４はアクチュエーション要素６ｂの位置インデックス化領域１０ｂの第１の空欠部２０ｃ内に再び収容され、制御ステム４をその安定位置Ｔ１に戻らせる。したがって、制御ステム４は、その不安定位置Ｔ０からその第1の安定位置Ｔ１へと自動的に戻る。
【００４４】
同様に、この運動の際に、アクチュエーション要素６ｂの機械的接触領域１２ｃは、この第２のフレキシブル電気的スイッチング要素８ｂがアクチュエーション要素６ｂと接触しなくなる位置まで、アクチュエーション要素６ｂのこの機械的接触領域１２ｃを支える第２のフレキシブル電気的スイッチング要素８ｃの機械的接触領域２６ｄをこすりながら動き、弾性戻り力の影響の下でその安静位置に戻る。この制御ステム４の不安定位置Ｔ０において、制御デバイス１ｂの第２のフレキシブル電気的スイッチング要素８ｃは、第２の電気回路が開となる位置を占める。この第２の電気回路が開となっている位置では、この第２のフレキシブル電気的スイッチング要素８ｃの自由端の外面４２ａ上に形成された電気的接触領域２４ｄは、制御デバイス１ｂの第４の対応する接触スタッド１６ｄと接触していない。第１のフレキシブル電気的スイッチング要素８ｂは、ポジショニングばね１４のロッド２８の端部３４が傾斜した輪郭２２上にあるときに、安静位置から動き、電気的接触領域２４ｃにおいて第３の接触スタッド１６ｃに当接する。なお、この運動の際に、アクチュエーション要素６ｂの機械的接触領域１２ｃは、第１のフレキシブル電気的スイッチング要素８ｂの機械的接触領域２６ｃをこすりながら動く。この動きは、第３の接触スタッド１６ｃと接触するような電気接触領域２４ｃの配置を可能にするのに十分な第１のフレキシブル電気的スイッチング要素８ｂの変形を発生させる。したがって、制御ステム４がその不安定位置Ｔ０に到達すると、第１のフレキシブル電気的スイッチング要素８ｂのみが第１の電気回路を閉じる位置にされ、このときに第１の電気回路において、外面４２ａに形成される電気的接触領域２４ｃが制御デバイス１ｂの第３の接触スタッド１６ｃと接触している。したがって、第１のフレキシブル電気的スイッチング要素８ｂを電流が流れ、このことによって、この第１のフレキシブル電気的スイッチング要素８ｂと第３の接触スタッド１６ｃの間の電気的接触の閉位置を検出することができる。
【００４５】
このようにして、この第２の実施形態において、制御ステム４が以下の３つの位置である不安定位置Ｔ０や安定位置Ｔ１、Ｔ２のいずれにあるかに応じて、携行可能な物５４の３つの電子的機能を制御デバイス１ｂによって制御することができる。
−第１の安定位置Ｔ１においては、第２のフレキシブル電気的スイッチング要素８ｃのみが電気的接触領域２４ｄにおいて対応する接触スタッド１６ｄと接触しており、これによって、第２の電気回路が閉状態、すなわち、接続状態、となっている。
−第２の安定位置Ｔ２においては、第１及び第２のフレキシブルアクチュエーション要素８ｂ、８ｃのいずれも対応する第３又は第４の接触スタッド１６ｃ、１６ｄと接触しておらず、これによって、第１及び第２の電気回路のそれぞれが開状態、すなわち、非接続状態、となっている。
−  不安定位置Ｔ０においては、第１のフレキシブル電気的スイッチング要素８ｂのみが電気的接触領域２４ｃにおいて対応する接触スタッド１６ｃと接触しており、これによって、第１の電気回路が閉状態、すなわち、接続状態、となっている。
【００４６】
この第２の実施形態の代替形態において、制御ステム４が、第１及び第２のフレキシブル電気的スイッチング要素８ｂ、８ｃがそれぞれ第３及び第４の接触スタッド１６ｃ、１６ｄに接触しているような新しい安定位置又は不安定位置にあって、第１及び第２の電気回路が同時に閉状態、すなわち、接続状態、になっているときに、制御デバイス１ｂによって携行可能な物５４の付加的機能を制御することができる。
【００４７】
当然、本発明は、上述した実施形態に限定されるものではなく、当業者であれば請求の範囲によって定められる本発明の範囲を逸脱せずに様々な単純な改変や代替形態の実施が可能である。なお、具体的には、アクチュエーション要素と制御ステムは、両方とも電気的に絶縁性であることができ、又はアクチュエーション要素が電気的に絶縁性であることができ、その場合、制御ステムが絶縁性であることができ、また、導電性であることができ、あるいはアクチュエーション要素が導電性であることができ、その場合、制御ステムは導電性ではない。
【符号の説明】
【００４８】
１ａ、１ｂ  制御デバイス
２  フレーム
４  制御ステム
６ａ、６ｂ  アクチュエーション要素
８ａ、８ｂ、８ｃ、８ｄ  フレキシブル電気的スイッチング要素
１０ａ、１０ｂ  位置インデックス化領域
１２ａ、１２ｂ、１２ｃ  機械的接触領域
１４  ポジショニングばね
１６ａ、１６ｂ、１６ｃ、１６ｄ  接触スタッド
１８ａ、１８ｂ、１８ｃ  固定用スタッド
２０ａ、２０ｂ、２０ｃ、２０ｄ  空欠部
２２  傾斜した輪郭
２４ａ、２４ｂ、２４ｃ、２４ｄ  電気的接触領域
２６ａ、２６ｂ、２６ｃ、２６ｄ  機械的接触領域
２８  ロッド
３０  アーム
３２  ベース
３４  ロッドの端部
３６ａ、３６ｂ、３６ｃ  リンク部品
３８ａ、３８ｂ、３８ｃ  クレスト
４０  滑らかなベアリング
４２ａ  外面
４２ｂ  内面
４４ａ、４４ｂ  第１及び第２のアーム
４６  後ろ側の端
４８  先頭側の端
５０  アクチュエーションリュウズ
５２  穴
５４  携行可能な物
５６  ミドル部
５８  底部
６０  上側フレーム
６２  傾斜した輪郭
６４  マイクロコントローラー
６６  電気的コネクター
【図１】
2021503606.tif 000003
【図２】
2021503606.tif 000004
【図３】
2021503606.tif 000005
【図４】
2021503606.tif 000006
【図５】
2021503606.tif 000007
【国際調査報告】
2021503606.tif 000008
2021503606.tif 000009
2021503606.tif 000010
2021503606.tif 000011
2021503606.tif 000012
2021503606.tif 000013